(57)【要約】【課題】ベルト保持片を容易かつ迅速に調節でき、確実にその所望の位置を保持すると共に、使用者の腰部への違和感を軽減可能なプロテクタの背バンド構造を提供する。【解決手段】プロテクタ本体に取着される２本のベルト部材20，20と、第１外皮部材１と第２外皮部材２で弾性芯材３をサンドイッチ状に挟着して裏面中央部に低突隆部11を形成したベルト保持片10と、を備え、上記ベルト保持片10に２本のベルト部材20，20を挿通させて、ベルト保持片10の裏面10ｂ側に露出すると共に裏面10ｂ側の低突隆部11においてＸ字状に交差するベルト交差部21を形成した。【選択図】図３
2011045464.tif 000002
【特許請求の範囲】
【請求項１】
プロテクタ本体（５）に取着される２本のベルト部材（20）（20）と、第１外皮部材（１）と第２外皮部材（２）で弾性芯材（３）をサンドイッチ状に挟着して裏面中央部に低突隆部（11）を形成したベルト保持片（10）と、を備え、
上記ベルト保持片（10）に上記２本のベルト部材（20）（20）を挿通させて、上記ベルト保持片（10）の裏面（10ｂ）側に露出すると共に該裏面（10ｂ）側の上記低突隆部（11）においてＸ字状に交差するベルト交差部（21）を形成したことを特徴とするプロテクタの背バンド構造。
【請求項２】
上記ベルト保持片（10）は、上記ベルト部材（20）が挿通される一文字状の挿通口（12）の口幅寸法（Ｗ12）を、上記ベルト部材（20）の使用状態の幅寸法（Ｗ20）よりも小さく設定している請求項１記載のプロテクタの背バンド構造。
【請求項３】
上記弾性芯材（３）は四角形片（30）から成り、さらに、一文字状の挿通口（12）は、上記四角形片（30）の各辺（30ａ）外側近傍に形成されている請求項２記載のプロテクタの背バンド構造。
【発明の詳細な説明】
【技術分野】
【０００１】
本発明は、プロテクタの背バンド構造に関する。
【背景技術】
【０００２】
従来、野球やソフトボール等で、捕手や審判員の腹部、胸部、肩部を保護するプロテクタの背バンド構造は、使用者の両肩部に掛けられるＹ字状の肩ベルト部材と、一文字状の腰ベルト部材と、をベルト保持片で連結している。（例えば、特許文献１参照）。
そして、プロテクタを装着する際は、肩ベルト部材を長さ調節すると、腰ベルト部材が上方に引き上げられたり、垂れ下がったりするため、肩ベルト部材と腰ベルト部材を相互に調節していた。
【先行技術文献】
【特許文献】
【０００３】
【特許文献１】登録実用新案第３０７０２４０号公報
【発明の概要】
【発明が解決しようとする課題】
【０００４】
しかし、肩ベルト部材と腰ベルト部材を相互に調節して、保護するのに最適な位置にプロテクタ本体を位置決めし、さらに、体格に合わせてベルト保持片を移動させプロテクタ本体を密着させることや、ベルト保持片の位置を使用者が違和感を感じない所望の位置にすることは困難であった。
また、装着後に激しい運動によって、ベルト保持片が移動し、プロテクタ本体の位置ズレが発生するといった問題や、使用者に不快感を与え、プレーの妨げになるといった問題があった。また、腰部はプレー中の屈曲運動が激しいため、腰ベルト部材が使用者の腰部に擦れるような摩擦感や、圧迫感を感じ動作の妨げになるという問題があった。
【０００５】
そこで、本発明は、ベルト保持片を容易かつ迅速に調節でき、確実にその所望の位置を保持すると共に、使用者の腰部への違和感を軽減可能なプロテクタの背バンド構造の提供を目的とする。
【課題を解決するための手段】
【０００６】
上記目的を達成するために、本発明のプロテクタの背バンド構造は、プロテクタ本体に取着される２本のベルト部材と、第１外皮部材と第２外皮部材で弾性芯材をサンドイッチ状に挟着して裏面中央部に低突隆部を形成したベルト保持片と、を備え、上記ベルト保持片に上記２本のベルト部材を挿通させて、上記ベルト保持片の裏面側に露出すると共に該裏面側の上記低突隆部においてＸ字状に交差するベルト交差部を形成したものである。
【０００７】
また、上記ベルト保持片は、上記ベルト部材が挿通される一文字状の挿通口の口幅寸法を、上記ベルト部材の使用状態の幅寸法よりも小さく設定しているものである。
また、上記弾性芯材は四角形片から成り、さらに、一文字状の挿通口は、上記四角形片の各辺外側近傍に形成されているものである。
【発明の効果】
【０００８】
本発明のプロテクタの背バンド構造によれば、使用者の体格に合わせて自由にベルト交差部を上下に容易かつ迅速に調整できる。装着後の運動によるベルト保持片の移動を防止し、プロテクタ本体の位置ズレを防止して、確実に使用者を保護できる。容易に使用者の望む装着感（フィット）感を得ることができると共に、その装着感を維持でき、プレーに集中させることができる。
【図面の簡単な説明】
【０００９】
【図１】本発明の実施の一形態の使用状態の正面図である。
【図２】図１のＡ−Ａ断面図である。
【図３】図１のＢ−Ｂ断面図である。
【図４】本発明の実施の一形態の使用状態の背面図である。
【図５】ベルト保持片の一例を示す背面図である。
【図６】作用説明図である。
【図７】ベルト保持片の製造工程の一例を説明する断面図であり、（ａ）は縫製前を説明する断面図であり、（ｂ）は縫製後を説明する断面図である。
【図８】ベルト保持片の製造工程の別の一例を説明する断面図であり、（ａ）は成形前を説明する断面図であり、（ｂ）は成形後を説明する断面図である。
【図９】ベルト保持片の製造工程の他の一例を説明する断面図である。
【図１０】ベルト保持片の他の一例を示す背面図である。
【発明を実施するための形態】
【００１０】
以下、図示の実施の形態に基づき本発明を詳説する。
本発明のプロテクタの背バンド構造は、野球やソフトボール等の球技の捕手（選手）や審判員の胸部や腹部及び肩部（鎖骨）を保護するプロテクタに設けられるものである。
図６（ａ）に示すように、使用者の胸部や腹部及び肩部を保護可能なプロテクタ本体５に取着される２本のベルト部材20，20と、プロテクタ本体５の背面５ｂ側で２本のベルト部材20，20が挿通するベルト保持片10と、を備えている。
【００１１】
ベルト部材20は、上端20ａがプロテクタ本体５の上方突出片51に揺動自在かつ長さ調節自在に図示省略のバックル部材を介して取着されると共にタスキ状に斜めに配設されて、下端20ｂがプロテクタ本体５の腹部側縁52近傍に揺動自在かつ長さ調節自在に図示省略のバックル部材を介して取着されている。また、ベルト部材20は、長手方向及び幅方向に伸縮自在なゴムバンドから成る。また、ベルト部材20の上端20ａ又は下端20ｂ、或いは、両端を、プロテクタ本体５に着脱自在に設けている。
【００１２】
図１乃至図５に於て、ベルト保持片10は、人工（合成）又は天然の皮革から成る薄板状の第１外皮部材１及び第２外皮部材２と、発泡樹脂材又はゴム材からなる横断面矩形状の弾性芯材３と、を有している。第１外皮部材１及び第２外皮部材２は、正面視で四角形状に形成され、菱形状に配設される。また、弾性芯材３は、四角形片30から成り、正面視で菱形状に配設される。
【００１３】
ベルト保持片10は、第１外皮部材１と第２外皮部材２の間の中央部（重心部近傍）に弾性芯材３を配設して、サンドイッチ状に挟着（挟持）することで、裏面10ｂ側に突出する背面視菱形状の低突隆部11を形成している。
なお、ベルト保持片10の裏面10ｂ（背面）、プロテクタ本体５の背面５ｂとは、使用状態に於て、使用者に対面状に配設される面のことを言う。
【００１４】
また、ベルト保持片10は、表面10ａと裏面10ｂを連通すると共にベルト部材20が挿通される挿通口12を貫設している。
挿通口12は、四角形片30の各辺30ａの外側近傍に、一文字状に形成されると共に、正面視（背面視）で各辺30ａに略平行に４つ配設されている。つまり、１本のベルト部材20が挿通すると共に低突隆部11を挟んで向かい合った一対（一組）の挿通口12，12を、２組設けている。言い換えると、挿通口12は、図５に於て、一点鎖線で示すような、低突隆部11の近傍を包囲すると共に、低突隆部11と重心が略一致する仮想の菱形Ｋの各辺に沿って（平行に）４つ設けているとも言える。また、裏面10ｂ側の低突隆部11において２本のベルト部材20，20がＸ字状に交差するベルト交差部21を形成可能な位置に設けているとも言える。
【００１５】
そして、一組の挿通口12，12に、一方のベルト部材20（20Ａ）を挿通させている。ベルト部材20は、表面10ａ側から一方の挿通口12（12Ａ）に差し込まれ、裏面10ｂ側で低突隆部11を乗り越えて、他方の挿通口12（12Ｂ）から表面10ａ側に挿通させている。
さらに、残りの一組の挿通口12，12に、他方のベルト部材20（20Ｂ）を表面10ａ側から差し込んで、裏面10ｂ側の低突隆部11を乗り越えた一方のベルト部材20（20Ａ）を乗り越えさせ、表面10ａ側に戻るように挿通させている。
【００１６】
つまり、裏面10ｂ側の低突隆部11に於て２本のベルト部材20，20がＸ字状に交差するベルト交差部21を形成すると共に、そのベルト交差部21を裏面10ｂ側に露出させている。
言い換えると、裏面10ｂ側に、低突隆部11とベルト交差部21（２本ベルト部材20，20）から成り、使用者のユニホーム等の衣類Ｙとの接触（摩擦）抵抗を高めベルト保持片10の不用意な移動を防止する凸部９を形成している。凸部９の突出寸法は、ベルト交差部21の厚さ寸法Ｈと低突隆部11の（裏面10ｂからの）突設寸法ｈの和となる。
【００１７】
挿通口12の口幅寸法Ｗ12は、挿通口12に差し込まれる前の使用状態のベルト部材20の幅寸法Ｗ20よりも小さく設定している。ベルト部材20の幅寸法Ｗ20を挿通口12の近傍で弾性変形させて、くびれさせて挿通させている。
また、２本のベルト部材20，20は、ベルト交差部21において、接着や縫着等によって一体化しておらず、ベルト部材20に沿って、ベルト保持片10を摺動（スライド）可能としている  
【００１８】
ここで、ベルト保持片10は、図７（ａ）に示すように、第１外皮部材１と第２外皮部材２の間に弾性芯材３を配設し、図７（ｂ）に示すように、一点鎖線の位置をミシン縫いにて縫着し、弾性芯材３による肉厚部13の裏面10ｂ側を低突隆部11としている。なお、図１乃至図６に於て、ミシン目は図示省略している。
【００１９】
また、ベルト保持片10の別の製造工程として、図８（ａ）に示すように、第１外皮部材１と第２外皮部材２の間に弾性芯材３を配設し、第１外皮部材１と第２外皮部材２の相互に対面する面に、ホットメルト等の接着剤４を塗布し、凹部41ａを有する下金型41と平面状の上金型42で熱圧縮成形（又はコールドプレス成形）して、図８（ｂ）に示すように、低突隆部11を有するベルト保持片10を形成しても良い。
【００２０】
また、ベルト保持片10の他の製造工程として、図８（ａ）で示した下金型41の代わりに、図９に示すように複数の凹溝43ａを有する別の下金型43を用いて、熱圧縮成形（又はコールドプレス成形）して、低突隆部11に凹凸部を形成しても良い。
例えば、図10に示すように、低突隆部11に複数の凸部11ａ，11ａと、凸部11ａと凸部11ａの間に凹部11ｂを形成して、ベルト部材20と低突隆部11の間により大きな摩擦抵抗力が発生するように形成しても良い。
【００２１】
上述した本発明のプロテクタの背バンド構造の使用方法（作用）について説明する。
ベルト保持片10を使用者が手で動かすと、ベルト保持片10はベルト部材20に沿って、図６（ａ）に示すような背中の中央部位置から、図６（ｂ）に示すような首の後近傍位置や、図６（ｃ）に示すような、腰の上部近傍位置へ、容易に移動する。手を離すと、ベルト保持片10は、手が離された位置で停止する。
【００２２】
つまり、ベルト保持片10は、ベルト部材20に沿って移動可能としながらも、一方のベルト部材20Ａが適度に低突隆部11と面接触して発生する摩擦（抵抗）力と、ベルト交差部21において一方のベルト部材20Ａと他方のベルト部材20Ｂの間の面接触によって発生する摩擦（抵抗）力と、挿通口12の近傍でベルト部材20をくびれさせる力の一部から成る摩擦力と、を利用して、人が手で意図的に移動させない限りは、不用意に滑ることなく停止状態を保持する。
【００２３】
挿通口12の近傍でベルト部材20をくびれさせる力の一部から成る摩擦抵抗力とは、ベルト部材20が、挿通口12の口幅寸法Ｗ12に近いくびれた状態から元の状態の幅寸法Ｗ20に弾性力により戻ろうとする。この弾性力（復元力）が挿通口12を押し広げようとし、ベルト保持片10への摩擦力となって、移動した所望の位置での停止を可能にする。
【００２４】
また、ベルト部材20は、側面視で、低突隆部11を乗り越えるように大きく湾曲して波状にベルト保持片10を挿通するので、単に、裏面10ｂ側を一文字状に通過させた場合に比べ、強い摩擦抵抗力が付与される。
【００２５】
また、装着状態においては、一方のベルト部材20Ａが適度に低突隆部11と面接触して発生する摩擦（抵抗）力と、一方のベルト部材20Ａと他方のベルト部材20Ｂの間の接触によって発生する摩擦（抵抗）力と、挿通口12の近傍でベルト部材20をくびれさせる力の一部から成る摩擦力と、に加え、衣類Ｙとベルト部材20との摩擦力と、凸部９と衣類Ｙとの接触抵抗と、によって、ベルト保持片10の移動が防止される。また、弾性芯材３は、弾性を有するので（柔軟な発泡樹脂材やゴム材であるため）、凸部９は、使用者に圧迫感を与えることなく適度に接触する。
【００２６】
また、２本のベルト部材20，20がＸ字状に配設され、使用者の腰部に巻き付くように接触（配設）されないので、腰部の屈曲運動によるプロテクタ本体５の位置ズレを防止すると共に、腰部へ違和感を与えずにプレーに集中させる。
【００２７】
仮に、ベルト部材20の長さを調節したことで、ベルト保持片10が所望の位置からズレても、使用者の操作によって、ベルト部材20に沿わせるようにベルト保持片10は容易に移動し、使用者の所望の位置にて操作を止めると、ベルト交差部21を保持した状態で所望の位置にて停まる。激しい運動を行なってもベルト保持片10は移動することなく、使用者に不快感（違和感）を感じさせることなくプレーに集中させる。
【００２８】
本発明は設計変更可能であって、第１外皮部材１及び第２外皮部材２は、円形状や多角形状等自由である。また、弾性芯材３は、横断面形状が矩形状に限らず横倒Ｄ字状（蒲鉾型や円弧面を有する形状）としても良い。
【００２９】
以上のように、本発明のプロテクタの背バンド構造は、プロテクタ本体５に取着される２本のベルト部材20，20と、第１外皮部材１と第２外皮部材２で弾性芯材３をサンドイッチ状に挟着して裏面中央部に低突隆部11を形成したベルト保持片10と、を備え、ベルト保持片10に２本のベルト部材20，20を挿通させて、ベルト保持片10の裏面10ｂ側に露出すると共に裏面10ｂ側の低突隆部11においてＸ字状に交差するベルト交差部21を形成したので、ベルト交差部21を使用者の体格に合わせて移動させて、プロテクタ本体５を使用者に確実に密着させ、ボールや接触プレーから保護することができると共に、使用者への不快な圧迫感等の違和感を軽減できる。体格に合わせたフィット感を得ることができる。ベルト部材20，20の長さ調節を正確にしなくともベルト保持片10（ベルト交差部21）を容易かつ迅速に背中の中央部等所望の位置に配設できる。ベルト交差部21を体格に合わせ、プロテクタ本体５の密着力が強くなる所望の位置に配設でき、従来のような腰部に巻設する腰ベルト部材を省略できる。つまり、使用者の腰部近傍で腰ベルトが擦れるような違和感を軽減できると共に、腰部をひねるような動作を容易にできる。２本のベルト部材20，20同士の摩擦力や、ベルト部材20とベルト保持片10との摩擦力を強め、ベルト保持片10を自然状態及び使用状態（プレー中）で所望の位置に確実に停めることができる。
【００３０】
また、ベルト保持片10は、ベルト部材20が挿通される一文字状の挿通口12の口幅寸法Ｗ12を、ベルト部材20の使用状態の幅寸法Ｗ20よりも小さく設定しているので、ベルト部材20が、挿通口12の口幅寸法Ｗ12に近いくびれた状態から元の状態の幅寸法Ｗ20に弾性力により戻ろうとする弾性力（復元力）を利用して、移動した所望の位置での停止を可能にする。言い換えると、自然状態でベルト保持片10がベルト部材20に沿うようにスライド移動するのを防止できる。
【００３１】
また、弾性芯材３は四角形片30から成り、さらに、一文字状の挿通口12は、四角形片30の各辺30ａ外側近傍に形成されているので、低突隆部11を乗り越えるように２本のベルト部材20，20をＸ字状に確実に保持して配設でき、自然状態での位置ズレの防止を防止可能かつ、人の手による操作で移動が可能な適度な摩擦抵抗力を得ることができる。
【符号の説明】
【００３２】
１  第１外皮部材
２  第２外皮部材
３  弾性芯材
５  プロテクタ本体
10  ベルト保持片
10ｂ  裏面
11  低突隆部
12  挿通口
20  ベルト部材
21  ベルト交差部
30  四角形片
30ａ  辺
Ｗ12  口幅寸法
Ｗ20  幅寸法
【図１】
2011045464.tif 000003
【図２】
2011045464.tif 000004
【図３】
2011045464.tif 000005
【図４】
2011045464.tif 000006
【図５】
2011045464.tif 000007
【図６】
2011045464.tif 000008
【図７】
2011045464.tif 000009
【図８】
2011045464.tif 000010
【図９】
2011045464.tif 000011
【図１０】
2011045464.tif 000012